(57)【要約】【課題】  光を射出する射出面に対して平行な方向の寸法が前記射出面に対して略垂直方向の寸法よりも短いフラッシュユニットを有するカメラにおいて、筐体を小型化又は薄型化することが可能な撮影装置を提供する。【解決手段】  フラッシュユニット２４の光の射出面２４Ａに略平行な方向の寸法をＨ、射出面２４Ａに略垂直な方向の寸法（射出面２４Ａから後端部までの寸法）をＤ、筐体１２の前面１２Ａの表面から背面１２Ｂの筐体１２内面までの寸法をＷとすると、Ｈ＜Ｄ、かつ、Ｗ≦Ｄである。バリア１４が図中下方にスライドすると、フラッシュ開口部１８が筐体１２前面に露呈し、フラッシュユニット２４の射出面２４Ａがフラッシュ開口部１８から露出する。【選択図】      図２
2010039108.tif 000002
【特許請求の範囲】
【請求項１】
表面に開口部が形成された直方体の筐体と、
前記筐体の前記開口部が形成された面側に取り付けられたレンズと、
前記筐体の内部に回転自在に取り付けられ、光を射出する射出面に対して平行な方向の寸法が前記射出面に対して略垂直方向の寸法よりも短いフラッシュユニットと、
前記開口部を開閉するバリアと、
前記バリアが開いた場合に、前記開口部から前記射出面が露呈する第１の位置に前記フラッシュユニットを回転駆動する一方、前記バリアが閉じた場合に、前記射出面が前記レンズの光軸に対して略平行になる第２の位置に前記フラッシュユニットを回転駆動する駆動手段と、
を備える撮影装置。
【請求項２】
前記駆動手段は、
前記バリアに取り付けられ、前記筐体の内部に伸びるアーム部と、
前記アーム部と、前記フラッシュユニットとを連結するギア又は摩擦部材と、
を備える請求項１記載の撮影装置。
【請求項３】
前記アーム部は、前記レンズと前記フラッシュユニットとの間に配置される、請求項２記載の撮影装置。
【請求項４】
前記バリアが開いた場合に電源をオンにする一方、前記バリアが閉じた場合に電源をオフにする電源制御手段を更に備え、
前記駆動手段は、
前記電源オンに応じて駆動するモータと、
前記モータの回転力を前記フラッシュユニットに伝達するギアと、
を備える請求項１記載の撮影装置。
【請求項５】
前記モータは、前記レンズと前記フラッシュユニットとの間に配置される、請求項４記載の撮影装置。
【請求項６】
前記フラッシュユニットが回転して前記開口部から前記射出面が露呈したときに、前記フラッシュユニットと前記開口部との間の隙間を塞ぐ目隠し部材を更に備える請求項１から５のいずれか１項記載の撮影装置。
【請求項７】
前記目隠し部材は、前記フラッシュユニットが前記筐体内に収納されたときに、前記フラッシュユニットに沿うように取り付けられた板状部材であり、前記開口部から前記射出面が露呈したときに起き上がって、前記フラッシュユニットと前記開口部との間の隙間を塞ぐように付勢される、請求項６記載の撮影装置。
【請求項８】
前記フラッシュユニットから射出される光が照射される範囲を調整するための光学部材と、
前記開口部から前記射出面が露呈しているときに、前記光学部材を前記射出面の前方に移動させる一方、前記フラッシュユニットが前記筐体内に収納されているときに、前記光学部材が前記レンズの光軸に対して略平行になるように移動させて前記光学部材を前記筐体内に収納する光学部材駆動手段と、
を更に備える請求項１から７のいずれか１項記載の撮影装置。
【請求項９】
前記レンズは、ズーム光学系を含んでおり、
前記光学部材は、前記フラッシュユニットから射出される光が照射される範囲を拡げる拡散板であり、
前記光学部材駆動手段は、前記レンズのズーム位置が所定位置よりもワイド側の場合に、前記拡散板を前記射出面の前方に移動させる、請求項８記載の撮影装置。
【請求項１０】
前記レンズは、ズーム光学系を含んでおり、
前記光学部材は、前記フラッシュユニットから射出される光が照射される範囲を狭める集光パネルであり、
前記光学部材駆動手段は、前記レンズのズーム位置が所定位置よりもテレ側の場合に、前記集光パネルを前記射出面の前方に移動させる、請求項８記載の撮影装置。
【請求項１１】
前記第２の位置における前記フラッシュユニットの射出面側に設けられ、前記フラッシュユニットから射出される光を反射する反射部材と、
前記反射部材によって反射された光を前記レンズの光軸に拡散する拡散板とを更に備え、
前記駆動手段は、前記レンズのズーム位置が所定位置よりもワイド側の場合に、前記フラッシュユニットを前記第２の位置に回転駆動する、請求項１から１０のいずれか１項記載の撮影装置。
【請求項１２】
直方体の筐体と、
前記筐体の所定の面に取り付けられたレンズと、
前記筐体の内部に回転自在に取り付けられ、光を射出する射出面に対して平行な方向の寸法が前記射出面に対して略垂直方向の寸法よりも短いフラッシュユニットと、
前記フラッシュユニットから射出された光を天井にバウンスさせて被写体に照射するバウンス撮影の実行指示を入力するバウンス指示手段と、
前記被写体までの被写体距離を算出する被写体距離算出手段と、
前記被写体距離及び前記天井までの距離に基づいて、前記フラッシュユニットが射出する光の光軸と前記レンズの光軸とがなす角であって、前記天井にバウンスした光が前記被写体に到達するバウンス角を算出するバウンス角算出手段と、
前記バウンス指示が入力されない場合に、前記射出面が前記レンズの光軸に略垂直になる第１の位置に前記フラッシュユニットを回転駆動する一方、前記バウンス指示が入力された場合に、前記フラッシュユニットが射出する光の光軸と前記レンズの光軸とがなす角が前記バウンス角になるように前記フラッシュユニットを回転駆動する第２の位置に前記フラッシュユニットを回転駆動する駆動手段と、
を備える撮影装置。
【請求項１３】
前記第１及び前記第２の位置において前記フラッシュユニットの前記射出面を覆う透明部材を更に備える請求項１２記載の撮影装置。
【請求項１４】
前記開口部が形成された前記筐体の第１の面と、前記第１の面の反対側の第２の面の前記筐体の内側の面までの距離は、前記フラッシュユニットの前記射出面に対して平行な方向の寸法以上であり、且つ、前記フラッシュユニットの前記射出面に対して略垂直方向の寸法未満である、請求項１から１３のいずれか１項記載の撮影装置。
【請求項１５】
表面に開口部が形成された直方体の筐体と、
前記筐体の前記開口部が形成された面に略垂直な面に取り付けられたレンズと、
光を射出する射出面に対して平行な方向の寸法が前記射出面に対して略垂直方向の寸法よりも短いフラッシュユニットであって、前記筐体の内部に前記射出面が前記レンズの光軸に対して略平行になるように収納されたフラッシュユニットと、
前記射出面が前記レンズ側に向くように前記フラッシュユニットを付勢する付勢手段と、
前記フラッシュユニットが前記開口部から露呈し、前記付勢手段による付勢力に対して、前記筐体の端部により前記射出面と前記レンズの光軸とが略垂直になるように支持される第１の位置と、前記射出面が前記レンズの光軸に対して略平行となり、前記フラッシュユニットが前記筐体内に収納される第２の位置との間で、前記フラッシュユニットを移動させる駆動手段と、
を備える撮影装置。
【請求項１６】
被写体までの被写体距離を算出する被写体距離算出手段を更に備え、
前記駆動手段は、前記被写体距離が所定値未満の場合に、前記第１の位置よりも前記筐体から前記フラッシュユニットを離し、前記付勢手段により前記フラッシュユニットを前記レンズの光軸側に傾ける、請求項１５記載の撮影装置。
【請求項１７】
前記レンズの光軸の前記筐体の内部の寸法は、前記フラッシュユニットの前記射出面に対して平行な方向の寸法以上であり、且つ、前記フラッシュユニットの前記射出面に対して略垂直方向の寸法未満である、請求項１５又は１６記載の撮影装置。
【発明の詳細な説明】
【技術分野】
【０００１】
本発明は撮影装置に係り、特にフラッシュ発光部を備えた撮影装置に関する。
【背景技術】
【０００２】
特許文献１には、保護カバーを開状態に設定する操作に連動して、カメラ本体に内蔵されている主電源がＯＮになり、フラッシュが突出するカメラが開示されている。
【０００３】
特許文献２には、トップカバーの移動に応答してストロボユニットが収容位置及び撮影位置の間で移動するストロボ内蔵型カメラが開示されている。
【０００４】
特許文献３には、ストロボ装置を備えたカメラにおいて、カメラ本体に対して移動可能な枠体に集光レンズを設けて、集光レンズがストロボ装置の光源及び反射鏡に対して移動し、カメラ前面から突出するように構成することが開示されている。
【特許文献１】特開２００５−９９８５４号公報
【特許文献２】特開平９−１９７５０２号公報
【特許文献３】特開平６−１４８７２２号公報
【発明の開示】
【発明が解決しようとする課題】
【０００５】
特許文献１から３によれば、フラッシュを収容することはできるが、カメラの筐体の厚さがフラッシュの大きさによって制限されるため、カメラの筐体が大型化する。
【０００６】
本発明はこのような事情に鑑みてなされたもので、光を射出する射出面に対して平行な方向の寸法が前記射出面に対して略垂直方向の寸法よりも短いフラッシュユニットを有するカメラにおいて、筐体を小型化、薄型化することが可能な撮影装置を提供することを目的とする。
【課題を解決するための手段】
【０００７】
本発明の第１の態様に係る撮影装置は、表面に開口部が形成された直方体の筐体と、前記筐体の前記開口部が形成された面側に取り付けられたレンズと、前記筐体の内部に回転自在に取り付けられ、光を射出する射出面に対して平行な方向の寸法が前記射出面に対して略垂直方向の寸法よりも短いフラッシュユニットと、前記開口部を開閉するバリアと、前記バリアが開いた場合に、前記開口部から前記射出面が露呈する第２の位置に前記フラッシュユニットを回転駆動する一方、前記バリアが閉じた場合に、前記射出面が前記レンズの光軸に対して略平行になる第２の位置に前記フラッシュユニットを回転駆動する駆動手段とを備える。
【０００８】
上記第１の態様によれば、射出面に対して平行な方向の寸法が射出面に対して略垂直方向の寸法よりも短いフラッシュユニットを回転させて筐体内部に収容するようにしたので、筐体を薄型化することができる。
【０００９】
本発明の第２の態様に係る撮影装置は、上記第１の態様において、前記駆動手段が、前記バリアに取り付けられ、前記筐体の内部に伸びるアーム部と、前記アーム部と、前記フラッシュユニットとを連結するギア又は摩擦部材とを備えるように構成した。
【００１０】
本発明の第３の態様に係る撮影装置は、上記第２の態様において、前記アーム部は、前記レンズと前記フラッシュユニットとの間に配置されるように構成した。
【００１１】
上記第３の態様によれば、上記のようにアーム部を配置することで、レンズとフラッシュユニットとを離すことができる。これにより、筐体を大型化することなく、赤目防止の効果を得ることができる。
【００１２】
本発明の第４の態様に係る撮影装置は、上記第１の態様において、前記バリアが開いた場合に電源をオンにする一方、前記バリアが閉じた場合に電源をオフにする電源制御手段を更に備え、前記駆動手段が、前記電源オンに応じて駆動するモータと、前記モータの回転力を前記フラッシュユニットに伝達するギアとを備えるように構成した。
【００１３】
本発明の第５の態様に係る撮影装置は、上記第４の態様において、前記モータが、前記レンズと前記フラッシュユニットとの間に配置されるように構成した。
【００１４】
上記第５の態様によれば、上記のようにモータを配置することで、レンズとフラッシュユニットとを離すことができる。これにより、筐体を大型化することなく、赤目防止の効果を得ることができる。
【００１５】
本発明の第６の態様に係る撮影装置は、上記第１から５の態様において、前記フラッシュユニットが回転して前記開口部から前記射出面が露呈したときに、前記フラッシュユニットと前記開口部との間の隙間を塞ぐ目隠し部材を更に備える。
【００１６】
本発明の第７の態様に係る撮影装置は、上記第６の態様において、前記目隠し部材は、前記フラッシュユニットが前記筐体内に収容されたときに、前記フラッシュユニットに沿うように取り付けられた板状部材であり、前記開口部から前記射出面が露呈したときに起き上がって、前記フラッシュユニットと前記開口部との間の隙間を塞ぐように付勢されるように構成した。
【００１７】
本発明の第８の態様に係る撮影装置は、上記第１から７の態様において、前記フラッシュユニットから射出される光が照射される範囲を調整するための光学部材と、前記開口部から前記射出面が露呈しているときに、前記光学部材を前記射出面の前方に移動させる一方、前記フラッシュユニットが前記筐体内に収容されているときに、前記光学部材が前記レンズの光軸に対して略平行になるように移動させて前記光学部材を前記筐体内に収容する光学部材駆動手段とを更に備える。
【００１８】
上記第８の態様によれば、フラッシュユニット及び光学部材を回転させて収容するようにしたので、筐体をより薄型化することができる。
【００１９】
本発明の第９の態様に係る撮影装置は、上記第８の態様において、前記レンズは、ズーム光学系を含んでおり、前記光学部材は、前記フラッシュユニットから射出される光が照射される範囲を拡げる拡散板であり、前記光学部材駆動手段は、前記レンズのズーム位置が所定位置よりもワイド側の場合に、前記拡散板を前記射出面の前方に移動させるように構成した。
【００２０】
本発明の第１０の態様に係る撮影装置は、上記第８の態様において、前記レンズは、ズーム光学系を含んでおり、前記光学部材は、前記フラッシュユニットから射出される光が照射される範囲を狭める集光パネルであり、前記光学部材駆動手段は、前記レンズのズーム位置が所定位置よりもテレ側の場合に、前記集光パネルを前記射出面の前方に移動させるように構成した。
【００２１】
本発明の第１１の態様に係る撮影装置は、上記第１から１０の態様において、前記第２の位置における前記フラッシュユニットの射出面側に設けられ、前記フラッシュユニットから射出される光を反射する反射部材と、前記反射部材によって反射された光を前記レンズの光軸に拡散する拡散板とを更に備え、前記駆動手段は、前記レンズのズーム位置が所定位置よりもワイド側の場合に、前記フラッシュユニットを前記第２の位置に回転駆動するように構成した。
【００２２】
上記第１１の態様によれば、ズーム位置が所定の位置よりワイド側の場合に、フラッシュ光を拡散板により拡散させるようにしたので、フラッシュユニットのサイズを大型化することなく、配光がよい（ムラがない、均一な）画像を撮影することができる。
【００２３】
本発明の第１２の態様に係る撮影装置は、直方体の筐体と、前記筐体の所定の面に取り付けられたレンズと、前記筐体の内部に回転自在に取り付けられ、光を射出する射出面に対して平行な方向の寸法が前記射出面に対して略垂直方向の寸法よりも短いフラッシュユニットと、前記フラッシュユニットから射出された光を天井にバウンスさせて被写体に照射するバウンス撮影の実行指示を入力するバウンス指示手段と、前記被写体までの被写体距離を算出する被写体距離算出手段と、前記被写体距離及び前記天井までの距離に基づいて、前記フラッシュユニットが射出する光の光軸と前記レンズの光軸とがなす角であって、前記天井にバウンスした光が前記被写体に到達するバウンス角を算出するバウンス角算出手段と、前記バウンス指示が入力されない場合に、前記射出面が前記レンズの光軸に略垂直になる第１の位置に前記フラッシュユニットを回転駆動する一方、前記バウンス指示が入力された場合に、前記フラッシュユニットが射出する光の光軸と前記レンズの光軸とがなす角が前記バウンス角になるように前記フラッシュユニットを回転駆動する第２の位置に前記フラッシュユニットを回転駆動する駆動手段とを備える。
【００２４】
上記第１２の態様によれば、フラッシュユニットを大型化することなく、バウンス撮影を行うことが可能になる。
【００２５】
本発明の第１３の態様に係る撮影装置は、上記第１２の態様において、前記第１及び前記第２の位置において前記フラッシュユニットの前記射出面を覆う透明部材を更に備える。
【００２６】
本発明の第１４の態様に係る撮影装置は、上記第１から１３の態様において、前記開口部が形成された前記筐体の第１の面と、前記第１の面の反対側の第２の面の前記筐体の内側の面までの距離は、前記フラッシュユニットの前記射出面に対して平行な方向の寸法以上であり、且つ、前記フラッシュユニットの前記射出面に対して略垂直方向の寸法未満となるように構成した。
【００２７】
本発明の第１５の態様に係る撮影装置は、表面に開口部が形成された直方体の筐体と、前記筐体の前記開口部が形成された面に略垂直な面に取り付けられたレンズと、光を射出する射出面に対して平行な方向の寸法が前記射出面に対して略垂直方向の寸法よりも短いフラッシュユニットであって、前記筐体の内部に前記射出面が前記レンズの光軸に対して略平行になるように収容されたフラッシュユニットと、前記射出面が前記レンズ側に向くように前記フラッシュユニットを付勢する付勢手段と、前記フラッシュユニットが前記開口部から露呈し、前記付勢手段による付勢力に対して、前記筐体の端部により前記射出面と前記レンズの光軸とが略垂直になるように支持される第１の位置と、前記射出面が前記レンズの光軸に対して略平行となり、前記フラッシュユニットが前記筐体内に収容される第２の位置との間で、前記フラッシュユニットを移動させる駆動手段とを備える。
【００２８】
上記第１５の態様によれば、射出面に対して平行な方向の寸法が射出面に対して略垂直方向の寸法よりも短いフラッシュユニットを回転させて筐体内部に収容するようにしたので、筐体を薄型化することができる。
【００２９】
本発明の第１６の態様に係る撮影装置は、上記第１５の態様において、被写体までの被写体距離を算出する被写体距離算出手段を更に備え、前記駆動手段が、前記被写体距離が所定値未満の場合に、前記第１の位置よりも前記筐体から前記フラッシュユニットを離し、前記付勢手段により前記フラッシュユニットを前記レンズの光軸側に傾けるように構成した。
【００３０】
本発明の第１７の態様に係る撮影装置は、上記第１５又は１６の態様において、前記レンズの光軸の前記筐体の内部の寸法は、前記フラッシュユニットの前記射出面に対して平行な方向の寸法以上であり、且つ、前記フラッシュユニットの前記射出面に対して略垂直方向の寸法未満となるように構成した。
【発明の効果】
【００３１】
本発明によれば、射出面に対して平行な方向の寸法が射出面に対して略垂直方向の寸法よりも短いフラッシュユニットを回転させて筐体内部に収容するようにしたので、筐体を薄型化することができる。
【発明を実施するための最良の形態】
【００３２】
以下、添付図面に従って本発明に係る撮影装置（以下、カメラという。）の好ましい実施の形態について説明する。
【００３３】
［第１の実施形態］
図１は、本発明の第１の実施形態に係るカメラの外観を示す正面図である。
【００３４】
本実施形態に係るカメラ１０は、画像を撮影して電子データとして記録する電子カメラである。
【００３５】
図１に示すように、筐体１２の前面にはバリア１４が取り付けられている。バリア１４は、レンズ開口部１６及びフラッシュ開口部１８を露呈させる撮影位置と、レンズ開口部１６及びフラッシュ開口部１８を露呈させる収容位置との間で、筐体１２の前面に沿ってスライド可能になっている。
【００３６】
筐体１２の内部には、メモリーカード及び電池収容部２０、レンズユニット２２、フラッシュユニット２４及びフラッシュユニット２４に電力を供給するコンデンサ２６が格納される。
【００３７】
図２は、フラッシュユニット２４の動作を示す断面図であり、図３は、フラッシュユニット２４を駆動する機構を示す断面図である。
【００３８】
フラッシュユニット２４の光の射出面２４Ａに略平行な方向の寸法をＨ、射出面２４Ａに略垂直な方向の寸法（射出面２４Ａから後端部までの寸法）をＤ、筐体１２の前面１２Ａの表面から背面１２Ｂの筐体１２内面までの寸法をＷとすると、Ｈ＜Ｄ、かつ、Ｗ≦Ｄである。
【００３９】
図２に示すように、バリア１４が図中下方にスライドすると、フラッシュ開口部１８が筐体１２前面に露呈する。
【００４０】
図３に示すように、バリア１４にはアーム部３０が取り付けられている。
【００４１】
アーム部３０は、筐体１２前面に形成された開口部３０Ａを通って筐体１２内部に伸びている。アーム部３０は、歯切りがされた平板状であり、筐体１２内のギア３２に噛合する。なお、図１に示すように、アーム部３０は、レンズユニット２２とフラッシュユニット２４との間に配置される。これにより、レンズユニット２２とフラッシュユニット２４とを離すことができる。
【００４２】
なお、アーム部３０及びギア３２に摩擦計数が大きい部材を貼り付けることにより、フラッシュユニット２４の駆動機構を実現するようにしてもよい。
【００４３】
図３に示すように、バリア１４とともにアーム部３０が図中下方にスライドし、ギア３２が回転すると、ギア３２の回転力がフラッシュユニット２４の側面に形成されたギア３４に伝達される。これにより、フラッシュユニット２４が撮影位置２４−１に回転移動し、射出面２４Ａが筐体１２前面（レンズ１６と同じ方向）に向く。
【００４４】
バリア１４が図中上方にスライドすると、フラッシュユニット２４が収容位置２４−２に回転移動する。フラッシュユニット２４は、射出面２４Ａが図中上方に向くように、筐体１２内に収容される。また、バリア１４によりフラッシュ開口部１８が覆われる。
【００４５】
バリア１４は、カメラ１０の電源スイッチと接続しており、バリア１４が開かれ、レンズ開口部１６及びフラッシュ開口部１８が露呈すると、カメラ１０の電源がオンになり、バリア１４が閉じられると、カメラ１０の電源がオフになる。
【００４６】
なお、フラッシュユニット２４の回転方向を変更して、フラッシュユニット２４が収容後に射出面２４Ａが図中下方に向くようにしてもよい。
【００４７】
図４は、カメラ１０の内部構成を示すブロック図である。
【００４８】
メインＣＰＵ５０は、バス５２を介してカメラ１０の各ブロックに接続しており、所定のプログラムに従ってカメラ１０の各ブロックを制御する。
【００４９】
測光・測距ＣＰＵ５４は、メインＣＰＵ５０と連携して、レンズ６６のフォーカス、ズーム及び絞り、フラッシュユニット２４の発光タイミング及び発光時間を制御する。なお、本発明の実施に際してはＣＰＵを１つとする態様も可能である。
【００５０】
電源部５６は、カメラ１０の各ブロックに電源を供給する。
【００５１】
ＥＥＰＲＯＭ５８には、ＣＣＤ画素欠陥情報、カメラ動作に関する各種定数／情報等が格納されている。
【００５２】
レリーズスイッチ（レリーズＳＷ）６０は、撮像開始の指示を入力する操作ボタンである。
【００５３】
操作部６２は、カメラ１０の動作モード（撮影モード及び再生モード）を切り替えるためのモードダイヤル、十字キー、電源のオン・オフを切り替える電源スイッチ（電源ＳＷ）及び情報位置指定キーを含んでいる。
【００５４】
操作ＬＣＤ表示部６４は、レリーズスイッチ６０又は操作部６２からの操作入力を受け付けたときに、操作入力の内容を示す表示を行う。
【００５５】
以下、カメラ１０の撮影機能について説明する。
【００５６】
レンズ６６は、フォーカスレンズ、ズームレンズ及び絞りを含んでいる。レリーズスイッチ６０が押下されると、レンズ６６を通って入射した光は、撮像素子（ＣＣＤ）６８上に結像し、電圧信号（画像信号）に変換される。
【００５７】
画像処理部７０は、ＣＣＤ６８から出力された画像信号にホワイトバランス及びガンマ変換処理を含む所定の処理を施す。
【００５８】
Ａ／Ｄ変換器７２は、画像処理部７０から出力された画像信号をデジタル画像信号に変換する。
【００５９】
クロック・ジェネレータ（ＣＧ）７４は、ＣＣＤ６８、画像処理部７０及びＡ／Ｄ変換器７２にクロックを供給する。ＣＣＤ６８、画像処理部７０及びＡ／Ｄ変換器７２は、上記クロックに従って画像信号の読み出しタイミングを制御する。
【００６０】
バッファメモリ７６は、Ａ／Ｄ変換器７２から出力されたデジタル画像信号を一時記憶する。
【００６１】
メインＣＰＵ５０は、上記画像信号から焦点評価値を算出し、測光・測距ＣＰＵ５４に指令を出してＡＦ制御を行う。また、メインＣＰＵ５０は、上記画像信号から露出値（露出ＥＶ値）を算出し、測光・測距ＣＰＵ５４に指令を出してＡＥ制御を行う。
【００６２】
測光・測距ＣＰＵ５４は、メインＣＰＵ５０からの指令に従って、充電・発光制御部７８を動作させ、フラッシュ発光部８０を発光させる。
【００６３】
充電・発光制御部７８は、コンデンサ２６の充電制御や、フラッシュ発光部（放電管、キセノン管）８０への放電（発光）タイミングを制御する。
【００６４】
センサー８２は、例えば、角速度センサーであり、カメラ１０の動き及び姿勢を検出する。
【００６５】
ＣＣＤ手ブレ補正部８４は、レリーズスイッチ６０が押されたときにセンサー８２によって検出されたカメラ１０の動き（手ブレ）に応じてＣＣＤ６８を移動させて、手ブレを補正する。
【００６６】
ＹＣ処理部８６は、Ａ／Ｄ変換器７２から出力されたデジタル画像信号を輝度・色差信号に変換する。
【００６７】
圧縮・伸張処理部８８は、輝度・色差信号を圧縮して所定形式（例えば、Ｅｘｉｆ形式）の画像データに変換する。この画像データは、カードインターフェイス部（Ｉ／Ｆ）９０を介してメモリーカード９２（例えば、ｘＤピクチャカード（登録商標）又はＳＤカード（登録商標））に記録される。
【００６８】
画像を再生する場合には、メモリーカード９２に記録された画像データが読みだされる。
【００６９】
ＹＣ→ＲＧＢ変換部９４は、メモリーカード９２から読みだされた画像データをＲ、Ｇ、Ｂ信号に変換する。このＲ、Ｇ、Ｂ信号は、ドライバー９６を介して表示部（画像表示ＬＣＤ）９８に出力される。
【００７０】
本実施形態によれば、射出面２４Ａに対して平行な方向の寸法Ｈが前記射出面２４Ａに対して略垂直方向の寸法Ｄよりも短いフラッシュユニット２４を射出面２４Ａが筐体の上方又は下方に向くように回転させて筐体１２内部に収容するようにしたので、筐体１２を薄型化することができる。
【００７１】
［第２の実施形態］
次に、本発明の第２の実施形態について説明する。本実施形態は、アクチュエータを用いてフラッシュユニット２４を回転させるようにしたものである。なお、上記第１の実施形態と同様の構成については説明を省略する。
【００７２】
図５（ａ）は、本発明の第２の実施形態に係るカメラの断面図であり、図５（ｂ）は、カメラの正面図である。図６は、本実施形態に係るカメラの内部構成を示すブロック図である。
【００７３】
図５（ａ）に示すように、本実施形態のカメラ１０の筐体１２内部には、フラッシュユニット駆動用アクチュエータ（以下、アクチュエータという。）１００が取り付けられている。アクチュエータ１００の回転軸には、ギア１０２が取り付けられている。ギア１０２は、フラッシュユニット２４の側面に形成されたギア１０４に噛合する。
【００７４】
図５（ｂ）に示すように、カメラ１０の筐体１２内部には、バリア位置検出センサー１０６が取り付けられている。バリア１４の開閉動作に応じて、バリア位置検出センサー１０６の接点１０６Ａと１０６Ｂが接触又は非接触状態になる。
【００７５】
メインＣＰＵ５０は、バリア位置検出センサー１０６の接点１０６Ａと１０６Ｂの接触状態に基づいて、バリア１４の開閉動作を検出し、バリア１４が開かれるとフラッシュユニット２４を撮影位置２４−１に移動させ、バリア１４が閉じられるとフラッシュユニット２４を収容位置２４−２に移動させる。
【００７６】
本実施形態によれば、筐体１２を薄型化することができるとともに、フラッシュユニット２４の回転動作を自動化することができる。
【００７７】
［第３の実施形態］
次に、本発明の第３の実施形態について説明する。本実施形態は、フラッシュ開口部１８とフラッシュユニット２４との間の隙間を塞ぎ、ゴミの侵入を防ぐ目隠し部材を設けたものである。
【００７８】
図７は、本発明の第３の実施形態に係るフラッシュユニットを示す斜視図である。図８は、目隠し部材を拡大して示す斜視図であり、図９は、目隠し部材のガイドカムを示す斜視図である。図１０は、フラッシュユニットの動作を示す断面図である。
【００７９】
図７に示すように、本実施形態に係るフラッシュユニット２４の上部には凹部が形成されており、該凹部には目隠し部材１１０が取り付けられている。
【００８０】
図８に示すように、目隠し部材１１０は、フラッシュユニット２４の凹部に回転軸１１８の回りに回転可能に取り付けられている。
【００８１】
目隠し部材１１０は、板状の部材であり、バネ１２０によってフラッシュユニット２４に対して略垂直に立ち上がるように付勢されている。
【００８２】
図７及び図８に示すように、目隠し部材１１０の側面には、ピン１１２が取り付けられている。ピン１１２は、バネ１２０によってガイドカム１１４に付勢される。
【００８３】
図１０に示すように、収容位置２４−２では、目隠し部材１１０は倒れており、撮影位置２４−１側に回転するにつれてバネ１２０によって付勢されて立ち上がる。そして、撮影位置２４−１では、目隠し部材１１０は、フラッシュ開口部１８の上端部に接触し、フラッシュ開口部１８とフラッシュユニット２４との間にできる隙間が塞がる。
【００８４】
なお、フラッシュユニット２４を回転駆動するための構成は、上記第１及び第２の実施形態と同様である。
【００８５】
［第４の実施形態］
次に、本発明の第４の実施形態について説明する。本実施形態は、フラッシュ光の照射範囲を調整するための光学部材を更に設けたものである。
【００８６】
図１１は、本発明の第４の実施形態に係るフラッシュユニットを示す斜視図である。
【００８７】
図１１に示すように、本実施形態に係るフラッシュユニット２４には、射出面２４Ａの前方に出し入れ可能な光学部材１３０が取り付けられている。光学部材１３０は、フラッシュ光の照射範囲を拡げる拡散板（ワイドパネル）である。
【００８８】
なお、光学部材１３０としては、ワイドパネルに代えて、フラッシュ光の照射範囲を狭める集光パネルを用いることもできる。
【００８９】
図１１に示すように、光学部材１３０の後方には、１対のアーム部１３２Ｒ及び１３２Ｌが形成されている。図１２に示すように、光学部材１３０は、フラッシュユニット２４の側面に形成された凸部１３８を、アーム部１３２に形成された凹部１３６に嵌め込むことにより、フラッシュユニット２４に取り付けられる。
【００９０】
図１１に示すように、アーム部１３２Ｒには、ツマミ１３４Ｒが形成されている。図１３に示すように、ツマミ１３４Ｒは、本実施形態に係るカメラ１０の筐体１２の側面に形成された開口部を通って露出している。一方、アーム部１３２Ｌには、回転軸１３４Ｌが形成されている。図１４に示すように、回転軸１３４Ｌは、筐体１２の背面１２Ｂに形成された軸受部１４０によって支持される。
【００９１】
ユーザは、このツマミ１３４Ｒを回動操作することにより、光学部材１３０を射出面２４Ａの前方に出し入れすることができる。
【００９２】
図１５に示すように、光学部材１３０のアーム部１３２の寸法は、回動操作時に撮影位置２４−１にあるフラッシュユニット２４と干渉しないように（射出面２４Ａと光学部材１３０との間に隙間ｄができるように）調整されている。
【００９３】
本実施形態によれば、フラッシュユニット２４及び光学部材１３０を回転させて収容するようにしたので、筐体１２をより薄型化することができる。
【００９４】
［第５の実施形態］
次に、本発明の第５の実施形態について説明する。本実施形態は、上記第４の実施形態の光学部材１３０をズームと連動して動作させるようにしたものである。
【００９５】
図１６は、本発明の第５の実施形態に係るフラッシュユニットの駆動機構を示す斜視図である。図１７は、本実施形態に係るカメラ１０の内部構成を示すブロック図である。
【００９６】
図１６に示すように、筐体１２の内部には、光学部材駆動用アクチュエータ（以下、アクチュエータ１５０という。）１５０が取り付けられている。光学部材駆動用アクチュエータ１５０の回転軸に取り付けられたギア１５２は、光学部材（ワイドパネル）１３０のアーム部１３２Ｌに形成されたギア１５４と噛合する。
【００９７】
メインＣＰＵ５０は、ズーム倍率が所定値以下の場合に、アクチュエータ１５０を制御して、ワイドパネル１３０を撮影位置２４−１のフラッシュユニット２４の前方に挿入する。
【００９８】
図１８は、フラッシュ光の照射範囲を模式的に示す図である。
【００９９】
図１８に示すように、ズーム位置をワイド端にした場合の視野（撮影される範囲）Ｆ１０は、ワイドパネル１３０を挿入しない場合のフラッシュ光の照射範囲Ｌ１０よりも広く、ワイドパネル１３０を挿入した場合のフラッシュ光の照射範囲Ｌ１２よりも狭くなっている。
【０１００】
本実施形態では、ズーム位置がワイド側に移動して、視野Ｆ１２が照射範囲Ｌ１０よりも大きくなった場合、具体的には、（ＰＵ，ＰＢ，ＰＬ，ＰＲのＥＶ値）と（中心位置ＰＣのＥＶ値）との差が−１ＥＶ以下となる所定のズーム位置よりもワイド側になった場合に、メインＣＰＵ５０は、アクチュエータ１５０を制御して、撮影位置２４−１のフラッシュユニット２４の前方にワイドパネル１３０を挿入する。
【０１０１】
なお、例えば、マクロ撮影モードの場合にも、ワイドパネル１３０を挿入するようにしてもよい。
【０１０２】
図１９は、光学部材１３０の駆動処理の流れを示すフローチャートである。
【０１０３】
まず、カメラ１０の動作モードが撮影モードに設定され、撮影が開始されると（ステップＳ１０）、メインＣＰＵ５０は、ズーム位置を検出する（ステップＳ１２）。そして、ズーム位置が上記所定のズーム位置よりもワイド側であって（ステップＳ１２のＹｅｓ）、フラッシュユニット２４が撮影位置２４−１にある場合に、メインＣＰＵ５０は、アクチュエータ１５０を制御してフラッシュユニット２４の前方にワイドパネル１３０を挿入する（ステップＳ１４）。
【０１０４】
なお、ズーム位置が上記所定のズーム位置よりもテレ側に移動したことを検出した場合には、メインＣＰＵ５０は、フラッシュユニット２４の前方からワイドパネル１３０を移動させる。
【０１０５】
通常、ワイド側の撮影用の配光が広いフラッシュユニットは、間口が大きい大型のものになってしまうが、本実施形態によれば、フラッシュユニット２４及び光学部材１３０を回転させて収容するようにしたので、筐体１２をより薄型化することができる。本実施形態は、視野Ｆ１２がワイド側でフラッシュ光の照射範囲Ｌ１０より広くなるようなワイド端で視野が広いカメラに好適である。
【０１０６】
なお、本実施形態では、フラッシュユニット駆動用アクチュエータ１００と光学部材駆動用アクチュエータ１５０とを別々に設けたが、例えば、遊星ギアを利用することにより、両者を兼用するようにしてもよい。
【０１０７】
また、光学部材１３０としては、集光パネルを用いるようにしてもよい。この場合、ズーム位置が所定位置よりもテレ側になった場合に、集光パネルをフラッシュユニット２４の前方に移動させるようにすればよい。
【０１０８】
［第６の実施形態］
次に、本発明の第６の実施形態について説明する。
【０１０９】
図２０は、本発明の第６の実施形態に係るフラッシュユニットの動作を示す断面図である。
【０１１０】
図２０に示すように、本実施形態では、フラッシュ開口部１６０が筐体１２の上面に形成されている。フラッシュ開口部１６０には、蓋部材１６２が設けられている。図２１に示すように、蓋部材１６２には、防水・防塵用のパッキン１６４が取り付けられている。
【０１１１】
フラッシュユニット２４の光の射出面２４Ａに略平行な方向の寸法をＨ、射出面２４Ａに略垂直な方向の寸法（射出面２４Ａから後端部までの寸法）をＤ、筐体１２の前面１２Ａの内面から背面１２Ｂの内面までの寸法をＷ１とすると、Ｈ＜Ｄ、かつ、Ｗ１≦Ｄである。
【０１１２】
フラッシュユニット２４は、電源オン時に撮影位置２４−１に移動し、電源オフ時に収容位置２４−２に移動する。
【０１１３】
図２２は、撮影位置２４−１におけるフラッシュユニット２４を示す斜視図であり、図２３は、撮影位置２４−１におけるフラッシュユニット２４を示す上面図である。図２４は、フラッシュユニット２４の駆動機構を示す斜視図であり、図２５は、フラッシュユニット２４の動作を示す断面図である。図２６は、カメラ１０の内部構成を示すブロック図である。
【０１１４】
図に示すように、フラッシュユニット２４は、アーム部１６４Ｌ及び１６４Ｒに支持されている。アーム部１６４Ｌにはギアが形成されており、アーム部１６４Ｌのギアには上下駆動用アクチュエータ（以下、アクチュエータという。）１６６の回転軸に設けられた歯車が噛合している。フラッシュユニット２４は、アクチュエータ１６６により上下に移動する。
【０１１５】
カメラ１０の電源がオンになると、メインＣＰＵ５０は、アクチュエータ１６６を制御して、図２５に示すように、フラッシュユニット２４が図中上方に移動させる。フラッシュユニット２４によって蓋部材１６２が押し上げられて筐体１２の上方に露呈すると、バネ１６８Ｌの付勢力によりフラッシュユニット２４が倒れて、射出面２４Ａが筐体１２の前面側に向く（撮影位置２４−１）。
【０１１６】
カメラ１０の電源がオフになると、メインＣＰＵ５０は、アクチュエータ１６６を制御して、図２５に示すように、フラッシュユニット２４が図中下方に移動させる。フラッシュユニット２４は、筐体１２の上端部に引っ掛かり、バネ１６８Ｌの付勢力に抗して押し上げられて、射出面２４Ａが図中上方に向き、収容位置２４−２に収容される。
【０１１７】
本実施形態によれば、射出面２４Ａに対して平行な方向の寸法Ｈが前記射出面２４Ａに対して略垂直方向の寸法Ｄよりも短いフラッシュユニット２４を射出面２４Ａが筐体の上方又は下方に向くように回転させて筐体１２内部に収容するようにしたので、筐体１２を薄型化することができる。
【０１１８】
［第７の実施形態］
次に、本発明の第７の実施形態について説明する。本実施形態は、上記第６の実施形態において、被写体距離に応じてフラッシュユニット２４の角度（フラッシュの照射角）を変更するようにしたものである。
【０１１９】
図２７は、フラッシュユニット２４の駆動制御の流れを示すフローチャートである。
【０１２０】
まず、カメラ１０の電源がオンになると（ステップＳ２０）、フラッシュユニット２４が撮影位置２４−１に移動する（ステップＳ２２）。ステップＳ２２では、射出面２４Ａは、レンズ６６の光軸Ｌに対して略垂直になる。
【０１２１】
次に、メインＣＰＵ５０は、ズーム位置を検出する（ステップＳ２４）。そして、レリーズスイッチ６０が半押しされると（Ｓ１オン：ステップＳ２６）、ＡＦ制御が行われる（ステップＳ２８）。
【０１２２】
次に、メインＣＰＵ５０は、フォーカス位置を検出し（ステップＳ３０）、上記ズーム位置及びフォーカス位置に基づいて、合焦している被写体までの距離（被写体距離）を算出する（ステップＳ３２）。そして、被写体距離が所定値未満の場合には（ステップＳ３２のＮｏ）、フラッシュユニット２４が撮影位置２４−１よりも上方に移動する（ステップＳ３４）。ここで、ステップＳ３２における所定値は、フラッシュユニット２４とレンズ６６との間の距離及びフラッシュユニット２４の光の照射範囲に基づいて決定される値であり、例えば、被写体距離が短いことにより、フラッシュ光の照射範囲が撮影視野全体をカバーできなくなる限界の値である。
【０１２３】
図２８に示すように、ステップＳ３４では、フラッシュユニット２４は、バネ１６８Ｌによって付勢され、射出面２４Ａとレンズ６６の光軸Ｌのなす角θが鋭角（９０度未満）になる。
【０１２４】
本実施形態によれば、フラッシュユニット２４を下方に向けることができるので、近距離の被写体に合わせてフラッシュ光の照射範囲を調整すること（パララックス補正）ができる。
【０１２５】
なお、被写体距離は、例えば、カメラ１０とは別のＡＦセンサーからの情報を用いて算出するようにしてもよい。
【０１２６】
［第８の実施形態］
次に、本発明の第８の実施形態について説明する。本実施形態は、上記第２の実施形態において、カメラ１０の上方にフラッシュ光拡散用の拡散板を設けたものである。
【０１２７】
図２９は、本発明の第８の実施形態に係るフラッシュユニットの動作を示す断面図である。
【０１２８】
図２９に示すように、本実施形態に係るフラッシュユニット２４は、上記第２の実施形態と同様に、バリア１４が開き射出面２４Ａがレンズ６６の光軸Ｌに対して略垂直となる第１の位置２４−１と、バリア１４が閉じ射出面２４Ａがレンズ６６の光軸Ｌに対して略平行となる第２の位置２４−２との間で回転するようになっている。
【０１２９】
図２９に示すように、フラッシュユニット２４の上部には反射板１８０及び拡散板１８２が設けられている。第２の位置２４−２にあるフラッシュユニット２４の射出面２４Ａと反射板１８０とがなす角は約４５度である。また、拡散板１８２は、レンズ６６の光軸Ｌに対して略垂直に配置される。
【０１３０】
フラッシュユニット２４が第２の位置２４−２に配置された場合に、反射板１８０は、フラッシュユニット２４からのフラッシュ光を全反射する。拡散板１８２は、例えば、シボのように光を拡散する効果を有する面であり、反射板１８０によって反射されたフラッシュ光を拡散する。
【０１３１】
メインＣＰＵ５０は、バリア１４が開かれるとフラッシュユニット２４を第１の位置２４−１に移動させ、バリア１４が閉じられるとフラッシュユニット２４を第２の位置２４−２に移動させる。
【０１３２】
ズーム位置がワイド側に移動して、視野Ｆ１２が照射範囲Ｌ１０よりも大きくなった場合、具体的には、（ＰＵ，ＰＢ，ＰＬ，ＰＲのＥＶ値）と（中心位置ＰＣのＥＶ値）との差が−１ＥＶ以下となる所定のズーム位置よりもワイド側になった場合に（図１８参照）、メインＣＰＵ５０は、アクチュエータ１００を制御して、フラッシュユニット２４を第２の位置２４−２に移動させる。
【０１３３】
通常、ワイド側の撮影用の配光が広いフラッシュユニットは、間口が大きい大型のものになってしまう。本実施形態では、ズーム位置が所定の位置よりワイド側の場合に、フラッシュ光を拡散板１８２により拡散させるようにしたので、フラッシュユニット２４のサイズを大型化することなく、配光がよい（ムラがない、均一な）画像を撮影することができる。また、フラッシュユニット２４を第１の位置２４−１に回転させることにより、ズーム位置が所定の位置よりテレ側の場合にも、効率のよいフラッシュ光を得ることができる。
【０１３４】
［第９の実施形態］
次に、本発明の第９の実施形態について説明する。
【０１３５】
図３０は、本発明の第９の実施形態に係るカメラの内部構成を示すブロック図であり、図３１は、本発明の第９の実施形態に係るフラッシュユニットの外観を示す斜視図である。
【０１３６】
図３０に示すように、本実施形態に係るカメラ１０は、フラッシュユニット２４を回転させるための回転駆動用アクチュエータ（以下、アクチュエータという。）２００及びフラッシュバウンススイッチ２０２を備えている。
【０１３７】
図３１に示すように、本実施形態では、フラッシュユニット２４の上方には、一様な厚さで、透明な材料（例えば、アクリル）により作成された窓部材２０４が設けられている。
【０１３８】
フラッシュユニット２４は、射出面２４Ａがレンズ６６の光軸Ｌに対して略垂直となる第１の位置２４−１と、フラッシュユニット２４の光軸Ｉとレンズ６６の光軸Ｌとがなす角αが０度よりも大きい第２の位置２４−２との間で回転するようになっている。
【０１３９】
メインＣＰＵ５０は、フラッシュバウンススイッチ２０２の操作を検出すると、例えば、米国特許第５，１９４，８８５号に記載の方法に従って、射出面２４Ａの垂線Ｉとレンズ６６の光軸Ｌとがなす角αを算出し、フラッシュユニット２４を回転させる。
【０１４０】
米国特許第５，１９４，８８５号には、被写体距離Ｄ、及びカメラ１０と天井との間の距離Ｈに基づいて、フラッシュユニット２４の照射角αを算出する方法が記載されている。
【０１４１】
α＝Ｔａｎ−１（２Ｈ／Ｄ）      …（１）
なお、カメラ１０と天井との間の距離Ｈは天井センサー又はユーザ入力により決定される。
【０１４２】
本実施形態によれば、フラッシュユニット２４を大型化することなく、バウンス撮影を行うことが可能になる。
【０１４３】
なお、本実施形態では、フラッシュユニット２４が窓部材２０４によって覆われているが、例えば、図２０に示すように、フラッシュユニット２４が筐体１２の上面に露出するようにしてもよい。
【０１４４】
［第１０の実施形態］
次に、本発明の第１０の実施形態について説明する。
【０１４５】
図３２は、本発明の第１０の実施形態に係るカメラの外観を示す図である。
【０１４６】
図３２に示すように、本実施形態に係るカメラ１０は、携帯電話機に設けられたものであり、上記第１から第９の実施形態に係るフラッシュユニット２４を備えている。
【０１４７】
本実施形態によれば、カメラ付きの携帯電話機においても、上記フラッシュユニット２４を備えることにより、筐体の小型化を図ることができる。
【図面の簡単な説明】
【０１４８】
【図１】本発明の第１の実施形態に係るカメラの外観を示す正面図
【図２】フラッシュユニット２４の動作を示す断面図
【図３】フラッシュユニット２４を駆動する機構を示す断面図
【図４】カメラ１０の内部構成を示すブロック図
【図５】本発明の第２の実施形態に係るカメラを示す図
【図６】本発明の第２の実施形態に係るカメラの内部構成を示すブロック図
【図７】本発明の第３の実施形態に係るフラッシュユニットを示す斜視図
【図８】目隠し部材を拡大して示す斜視図
【図９】目隠し部材のガイドカムを示す斜視図
【図１０】フラッシュユニットの動作を示す断面図
【図１１】本発明の第４の実施形態に係るカメラのフラッシュユニットを示す斜視図
【図１２】光学部材１３０の取り付け構造を示す図
【図１３】本発明の第４の実施形態に係るカメラのフラッシュユニット近傍を拡大して示す斜視図
【図１４】フラッシュユニット２４の軸受部を示す側面図
【図１５】光学部材１３０の動作を示す側面図
【図１６】本発明の第５の実施形態に係るフラッシュユニットの駆動機構を示す斜視図
【図１７】本発明の第５の実施形態に係るカメラ１０の内部構成を示すブロック図
【図１８】フラッシュ光の照射範囲を模式的に示す図
【図１９】光学部材１３０の動作の駆動処理を示すフローチャート
【図２０】本発明の第６の実施形態に係るフラッシュユニットの動作を示す断面図
【図２１】蓋部材１６２の平面図
【図２２】撮影位置２４−１におけるフラッシュユニット２４を示す斜視図
【図２３】撮影位置２４−１におけるフラッシュユニット２４を示す上面図
【図２４】フラッシュユニット２４の駆動機構を示す斜視図
【図２５】フラッシュユニット２４の動作を示す断面図
【図２６】カメラ１０の内部構成を示すブロック図
【図２７】フラッシュユニット２４の駆動制御の流れを示すフローチャート
【図２８】フラッシュユニット２４の位置を示す断面図
【図２９】本発明の第８の実施形態に係るフラッシュユニットの動作を示す断面図
【図３０】本発明の第９の実施形態に係るカメラの内部構成を示すブロック図
【図３１】本発明の第９の実施形態に係るフラッシュユニットの外観を示す斜視図
【図３２】本発明の第１０の実施形態に係るカメラの外観を示す図
【符号の説明】
【０１４９】
１０…カメラ、１２…筐体、１４…バリア、１８…フラッシュ開口部、２４…フラッシュユニット、３０…アーム部
【図１】
2010039108.tif 000003
【図２】
2010039108.tif 000004
【図３】
2010039108.tif 000005
【図４】
2010039108.tif 000006
【図５】
2010039108.tif 000007
【図６】
2010039108.tif 000008
【図７】
2010039108.tif 000009
【図８】
2010039108.tif 000010
【図９】
2010039108.tif 000011
【図１０】
2010039108.tif 000012
【図１１】
2010039108.tif 000013
【図１２】
2010039108.tif 000014
【図１３】
2010039108.tif 000015
【図１４】
2010039108.tif 000016
【図１５】
2010039108.tif 000017
【図１６】
2010039108.tif 000018
【図１７】
2010039108.tif 000019
【図１８】
2010039108.tif 000020
【図１９】
2010039108.tif 000021
【図２０】
2010039108.tif 000022
【図２１】
2010039108.tif 000023
【図２２】
2010039108.tif 000024
【図２３】
2010039108.tif 000025
【図２４】
2010039108.tif 000026
【図２５】
2010039108.tif 000027
【図２６】
2010039108.tif 000028
【図２７】
2010039108.tif 000029
【図２８】
2010039108.tif 000030
【図２９】
2010039108.tif 000031
【図３０】
2010039108.tif 000032
【図３１】
2010039108.tif 000033
【図３２】
2010039108.tif 000034